【手続補正書】
【提出日】平成19年11月8日(2007.11.8)
【手続補正１】
【補正対象書類名】特許請求の範囲
【補正対象項目名】全文
【補正方法】変更
【補正の内容】
【特許請求の範囲】
【請求項１】
風車の軸に接続する発電機と、該発電機に接続する変換器と、該変換器の制御装置とを備える風力発電装置において、前記制御装置は、前記風車の回転速度が所定の値より小さい時に、前記発電機の出力電力指令を前記回転速度に応じて修正する第一の速度制御部を有することを特徴とする風力発電装置。
【請求項２】
請求項１において、
前記第一の速度制御部は、前記風車の回転速度が所定の値よりも小さい時に、前記発電装置の出力電力指令を減少させる修正手段を有することを特徴とする風力発電装置。
【請求項３】
請求項１において、
前記第一の速度制御部は、前記風車の回転速度が所定の値より小さい時に、前記回転速度を増加させる運転モードを有することを特徴とする風力発電装置。
【請求項４】
請求項１において
前記制御装置は、前記風車の回転速度が所定の範囲内である時に、予め定めたパワーカーブと前記風車で計測した風速とから求められた前記発電機の出力電力指令に従って前記変換器を制御することを特徴とする風力発電装置。
【請求項５】
請求項１において、
前記制御装置は、前記風車の回転速度が所定の値より大きい時に、前記発電機の出力電力指令を前記回転速度に応じて修正する第二の速度制御部を有することを特徴とする風力発電装置。
【請求項６】
風車の軸に接続する発電機と、該発電機に接続する変換器と、該変換器の制御装置とを備える風力発電装置において、前記制御装置は、前記風車の回転速度が所定の値より小さい場合に、前記発電機のトルク指令を前記回転速度に応じて修正する第一の速度制御部を有することを特徴とする風力発電装置。
【請求項７】
請求項６において、
前記第一の速度制御部は、前記風車の回転速度が所定の値よりも小さい場合に、前記発電装置のトルク指令を減少させる修正手段を有することを特徴とする風力発電装置。
【請求項８】
請求項６において、
前記第一の速度制御部は、前記風車の回転速度が所定の値より小さい場合に、前記回転速度を増加させる運転モードを有することを特徴とする風力発電装置。
【請求項９】
請求項６において、
前記制御装置は、前記風車の回転速度が所定の範囲内である場合に、予め定めたパワーカーブと前記風車で計測した風速とから求められた前記発電機のトルク指令に従って前記変換器を制御することを特徴とする風力発電装置。
【請求項１０】
請求項６において、
前記制御装置は、前記風車の回転速度が所定の値より大きい場合に、前記発電機のトルク指令を前記回転速度に応じて修正する第二の速度制御部を有することを特徴とする風力発電装置。
【請求項１１】
風車の軸に機械的に接続された発電機と、該発電機と電気的に接続された変換器と、該変換器の動作を制御する制御装置とを備える可変速駆動の風力発電装置において、前記制御装置は、前記風車の回転速度が所定の値より小さい場合に、前記発電機の出力電力指令を前記風車の回転速度に応じて設定する第一の指令設定部と、前記風車の回転速度が所定の値より大きい場合に、前記発電機の出力電力指令を前記回転数に応じて設定する第二の指令設定部と、を有することを特徴とする風力発電装置。
【請求項１２】
請求項１１において、
前記第一の指令設定部は、前記発電装置の出力電力指令を減少させる第一の修正手段を備え、
前記第二の指令設定部は、前記発電装置の出力電力指令を増加させる第二の修正手段を備えることを特徴とする風力発電装置。
【請求項１３】
請求項１１において、
前記第一の指令設定部は、前記回転速度を増加させる第一の運転モードを備え、
前記第二の指令設定部は、前記回転速度を減少させる第二の運転モードを備えることを特徴とする風力発電装置。
【請求項１４】
風車の軸に機械的に接続された発電機と、該発電機と電気的に接続された変換器と、該変換器の動作を制御する制御装置とを備える可変速駆動の風力発電装置において、前記制御装置は、前記風車の回転速度が所定の値より小さい場合に、前記発電機のトルク指令を前記風車の回転速度に応じて設定する第一の指令設定部と、前記風車の回転速度が所定の値より大きい場合に、前記発電機のトルク指令を前記回転数に応じて設定する第二の指令設定部と、を有することを特徴とする風力発電装置。
【請求項１５】
請求項１４において、
前記第一の指令設定部は、前記発電装置のトルク指令を減少させる第一の修正手段を備え、
前記第二の指令設定部は、前記発電装置のトルク指令を増加させる第二の修正手段を備えることを特徴とする風力発電装置。
【請求項１６】
請求項１５において、
前記第一の指令設定部は、前記回転速度を増加させる第一の運転モードを備え、
前記第二の指令設定部は、前記回転速度を減少させる第二の運転モードを備えることを特徴とする風力発電装置。
【手続補正２】
【補正対象書類名】明細書
【補正対象項目名】０００１
【補正方法】変更
【補正の内容】
【０００１】
本発明は風のパワーを利用する風力発電装置に関する。
【手続補正３】
【補正対象書類名】明細書
【補正対象項目名】０００７
【補正方法】変更
【補正の内容】
【０００７】
本発明の目的は、風車の回転速度が運転範囲から逸脱することを抑制し、風車の利用率の向上を図ることにある。
【手続補正４】
【補正対象書類名】明細書
【補正対象項目名】０００８
【補正方法】変更
【補正の内容】
【０００８】
本発明は、風車の軸に接続する発電機と、該発電機に接続する変換器と、該変換器の制御装置とを備える風力発電装置において、前記制御装置は、前記風車の回転速度が所定の値より小さい時に、前記発電機の出力電力指令を前記回転速度に応じて修正する第一の速度制御部を有することを特徴とする風力発電装置、または、風車の軸に接続する発電機と、該発電機に接続する変換器と、該変換器の制御装置とを備える風力発電装置において、前記制御装置は、前記風車の回転速度が所定の値より小さい場合に、前記発電機のトルク指令を前記回転速度に応じて修正する第一の速度制御部を有することを特徴とする風力発電装置により、上記目的を達成するものである。
【手続補正５】
【補正対象書類名】明細書
【補正対象項目名】０００９
【補正方法】変更
【補正の内容】
【０００９】
もしくは本発明は、風車の軸に機械的に接続された発電機と、該発電機と電気的に接続された変換器と、該変換器の動作を制御する制御装置とを備える可変速駆動の風力発電装置において、前記制御装置は、前記風車の回転速度が所定の値より小さい場合に、前記発電機の出力電力指令を前記風車の回転速度に応じて設定する第一の指令設定部と、前記風車の回転速度が所定の値より大きい場合に、前記発電機の出力電力指令を前記回転数に応じて設定する第二の指令設定部と、を有することを特徴とする風力発電装置、または、風車の軸に機械的に接続された発電機と、該発電機と電気的に接続された変換器と、該変換器の動作を制御する制御装置とを備える可変速駆動の風力発電装置において、前記制御装置は、前記風車の回転速度が所定の値より小さい場合に、前記発電機のトルク指令を前記風車の回転速度に応じて設定する第一の指令設定部と、前記風車の回転速度が所定の値より大きい場合に、前記発電機のトルク指令を前記回転数に応じて設定する第二の指令設定部と、を有することを特徴とする風力発電装置により、上記目的を達成することができる。
【手続補正６】
【補正対象書類名】明細書
【補正対象項目名】００１０
【補正方法】変更
【補正の内容】
【００１０】
本発明によれば、風車の回転速度が運転範囲から逸脱することを抑制し、風車の利用率を向上させることができる。